(57)【要約】【課題】多数の孔を有する支持面に面接触し且つ支持されている物品の、下方からの噴射による物品の移動及び物品の下面における洗浄むらを防止することができる噴射洗浄方法及び装置を提供する。【解決手段】本発明の噴射洗浄装置は、多数の孔を有するほぼ水平方向に延びる支持面（２８）に面接触し且つ支持されている物品（Ｐ）の下面を、支持面（２８）の下方から孔を通して洗浄液で噴射洗浄する噴射洗浄装置（１）である。噴射洗浄装置（１）は、支持面（２８）の下方に配置され、物品（Ｐ）の下面の第１の部分を持ち上げるように洗浄液を物品（Ｐ）の下面に噴射する上流側下ノズル（３４）と、支持面（２８）の下方に配置され、物品（Ｐ）の下面の第１の部分と異なる第２の部分を持ち上げるように洗浄液を物品（Ｐ）の下面に噴射する下流側下ノズル（３６）とを有している。【選択図】　　　図１
2004089821.tif 000002
【特許請求の範囲】
【請求項１】
多数の孔を有するほぼ水平方向に延びる支持面に面接触し且つ支持されている物品の下面を、前記支持面の下方から前記孔を通して洗浄液で噴射洗浄する噴射洗浄方法であって、
物品の下面の一部を持ち上げるように、洗浄液を前記支持面の下方から前記孔を通して物品の下面に噴射する噴射工程を有することを特徴とする噴射洗浄方法。
【請求項２】
前記噴射工程を、物品の下面の異なる部分を順次持ち上げるように繰り返して、物品の下面全体を噴射洗浄する、請求項１記載の噴射洗浄方法。
【請求項３】
多数の孔を有するほぼ水平方向に延びる支持面に面接触し且つ支持されている物品の下面を、前記支持面の下方から前記孔を通して洗浄液で噴射洗浄する噴射洗浄装置であって、
前記支持面の下方に配置され、物品の下面の第１の部分を持ち上げるように洗浄液を物品の下面に噴射する第１の噴射手段と、
前記支持面の下方に配置され、物品の下面の前記第１の部分と異なる第２の部分を持ち上げるように洗浄液を物品の下面に噴射する第２の噴射手段と、を有することを特徴とする噴射洗浄装置。
【請求項４】
前記第１の噴射手段と前記第２の噴射手段とは、同一の噴射手段である、請求項３記載の噴射洗浄装置。
【請求項５】
前記第１の噴射手段と前記第２の噴射手段とは、異なる箇所に配置される、請求項３記載の噴射洗浄装置。
【請求項６】
前記支持面は、移動可能である、請求項５記載の噴射洗浄装置。
【請求項７】
前記第１の噴射手段と前記第２の噴射手段とは、前記支持面の移動方向に間隔をおいて配置される、請求項６記載の噴射洗浄装置。
【発明の詳細な説明】
【０００１】
【発明の属する技術分野】
本発明は、噴射洗浄方法及び装置に関し、更に詳細には、物品を下方から噴射洗浄する噴射洗浄方法及び装置に関する。
【０００２】
【従来の技術】
従来から、メッシュコンベヤのような多数の孔を有するほぼ水平方向の支持面に支持されている野菜、容器、缶等の物品を、支持面の下方から孔を通して洗浄液で噴射洗浄する噴射洗浄装置が知られており、そのような噴射洗浄装置が、例えば、特開平８−３１９２３９号公報、実公平４−１５０３３号公報、実公昭５８−５１７５９号に開示されている。これらの装置は、浸漬式洗浄装置に比べて、設置スペースを小さくすることができるという利点を有している。
【０００３】
【発明が解決しようとする課題】
しかしながら、洗浄液の噴射圧が大きい場合、或いは、物品の重量が軽い場合、下方からの洗浄液の噴射によって物品が支持面上を移動してしまうことがある。このことにより、後工程で物品の再位置決めが必要になったり、物品の生産効率を低下させることがある。
【０００４】
逆に、洗浄液の噴射圧が小さい場合、或いは、物品の重量が重い場合、物品の洗浄が不十分になることがある。特に、メッシュコンベヤ等の支持面に面接触し且つ支持されているレトルト製品用パウチ等を下方から噴射洗浄する場合、外観上の問題が生じることがある。詳細には、洗浄中、メッシュコンベヤの孔以外の部分、即ち、格子部分は、パウチの下面と接触したままである。このため、パウチの下面のうち、メッシュコンベヤの格子部分と接触している部分に洗浄液が行き渡らず、物品の下面に洗浄むらが生じることになる。その結果、洗浄液が行き渡らなかった部分に残ったソース等の汚れがレトルト時にパウチに沈着し、レトルト製品の外観上、不衛生な印象を与えるという問題が生じることがある。
【０００５】
そこで、本発明は、多数の孔を有する支持面に面接触し且つ支持されている物品の、下方からの噴射による物品の移動及び物品の下面における洗浄むらを防止することができる噴射洗浄方法及び装置を提供することを目的としている。
【０００６】
【課題を解決するための手段】
上記目的を達成するために、本発明による噴射洗浄方法は、多数の孔を有するほぼ水平方向に延びる支持面に面接触し且つ支持されている物品の下面を、支持面の下方から孔を通して洗浄液で噴射洗浄する噴射洗浄方法であって、物品の下面の一部を持ち上げるように、洗浄液を支持面の下方から孔を通して物品の下面に噴射する噴射工程を有することを特徴としている。
【０００７】
このように構成された本発明においては、洗浄液をほぼ水平方向に延びる支持面の下方から多数の孔を通して物品の下面に噴射して、支持面に支持されている物品の下面の一部を持ち上げる。物品の下面のうち、噴射によって持ち上げられていない部分が支持面に面接触したままであるので、下方からの噴射によって物品が支持面上を移動してしまうことを防止することができる。また、物品の下面の一部は、噴射によって支持面から持ち上げられた状態で噴射洗浄されるので、物品の下面の一部における洗浄むらを防止することができる。
【０００８】
本発明において、好ましくは、上記噴射工程を、物品の下面の異なる部分を順次持ち上げるように繰り返して、物品の下面全体を噴射洗浄する。
【０００９】
このように構成された本発明においては、噴射によって持ち上げられていなかった部分を、上述と同様の工程を繰り返すことにより順次持ち上げて噴射洗浄することによって、物品の下面全体を噴射洗浄することができると共に、下方からの噴射によって物品が支持面上を移動すること及び物品の下面に洗浄むらが生じることを防止することができる。
【００１０】
また、上記目的を達成するために、本発明による噴射洗浄装置は、多数の孔を有するほぼ水平方向に延びる支持面に面接触し且つ支持されている物品の下面を、支持面の下方から孔を通して噴射洗浄する噴射洗浄装置であって、支持面の下方に配置され、物品の下面の第１の部分を持ち上げるように洗浄液を物品の下面に噴射する第１の噴射手段と、支持面の下方に配置され、物品の下面の第１の部分と異なる第２の部分を持ち上げるように洗浄液を物品の下面に噴射する第２の噴射手段と、を有することを特徴としている。
【００１１】
このように構成された本発明においては、第１の噴射手段によって、洗浄液をほぼ水平方向に延びる支持面の下方から多数の孔を通して物品の下面に噴射し、支持面に支持されている物品の下面の第１の部分を持ち上げて噴射洗浄する。次いで、第１の噴射手段と同様、第２の噴射手段によって、洗浄液を支持面の下方から多数の孔を通して物品の下面に噴射し、物品の下面の第１の部分と異なる第２の部分を持ち上げて噴射洗浄する。第１の噴射手段及び第２の噴射手段による噴射洗浄の間、物品の下面のうち、噴射により持ち上げられていない部分は、支持面に接触したままであるので、下方からの噴射により物品が支持面上を移動してしまうことを防止することができる。物品の下面の第１の部分が持ち上げられたときに持ち上げられていなかった部分を第２の部分として噴射洗浄すれば、物品の下面全体をむらなく洗浄することができる。又、物品の下面全体を洗浄するために、噴射手段を追加しても良いし、更に、噴射手段による噴射範囲を広角にし、噴射洗浄範囲を広げるようにしても良い。第１の部分と第２の部分は、重複部分を含んでいても良い。
【００１２】
本発明において、好ましくは、第１の噴射手段と第２の噴射手段とは、同一の噴射手段である。
【００１３】
このように構成された本発明においては、例えば、噴射方向を二方向に切替えることができる噴射手段を特定の箇所に配置する。この場合、第１の噴射手段として物品の下面の第１の部分を洗浄した後、噴射手段の噴射方向を遠隔操作等によって切り換え、第２の噴射手段として物品の下面の第２の部分を洗浄することができる。これにより、物品を移動させることなしに、物品の下面の第１の部分と第２の部分とを洗浄することができる。又、１つの噴射手段を移動可能に配置してもよい。噴射手段は、噴射手段の移動等に合せて物品の下面を間欠的に噴射洗浄しても良いし、連続的に噴射洗浄しても良い。
【００１４】
また、本発明において、好ましくは、第１の噴射手段と第２の噴射手段とは、異なる箇所に配置される。
【００１５】
このように構成された本発明においては、第１の噴射手段によって物品の下面の第１の部分を洗浄した後、第１の噴射手段を停止し、次いで、第２の噴射手段によって物品の下面の第２の部分を洗浄することができる。このような構成によっても、物品の下面全体をむらなく洗浄することができる。又、この場合、支持面を移動することなしに、物品の下面の第１の部分と第２の部分とを洗浄することができる。洗浄効果を高めるために、第１の噴射手段及び／又は第２の噴射手段を移動等させたりしても良い。
【００１６】
本発明において、好ましくは、支持面は、移動可能である。
【００１７】
このように構成された本発明においては、第１の噴射手段によって、物品の下面の第１の部分を噴射洗浄した後、支持面の移動によって物品を移動させ、第２の噴射手段によって、物品の下面の第２の部分を噴射洗浄することができる。この場合、第１の噴射手段及び第２の噴射手段を移動等させることなしに物品の下面の第１の部分及び第２の部分を洗浄することもできるし、洗浄効果を高めるために、第１の噴射手段及び／又は第２の噴射手段を移動等させて上記部分を噴射洗浄することもできる。支持面は、間欠的に移動しても良いし、連続的に移動しても良い。第１の噴射手段及び／又は第２の噴射手段は、支持面の移動に合せて物品の下面を間欠的に噴射洗浄しても良いし、連続的に噴射洗浄しても良い。
【００１８】
本発明において、好ましくは、第１の噴射手段と第２の噴射手段とは、支持面の移動方向に間隔をおいて配置される。
【００１９】
このように構成された本発明においては、複数の物品を連続的に効率よく洗浄することができ、連続的に移動する物品を位置ずれさせることなく、その下面全体をむらなく洗浄することができる。更に、移動方向の上流側及び下流側にそれぞれ位置する第１の噴射手段及び第２の噴射手段によって、異なる２つの物品を同時に噴射洗浄することもできる。
【００２０】
【発明の実施の形態】
以下、図面を参照して、本発明による噴射洗浄装置の実施形態を、レトルト食品用パウチを噴射洗浄する場合を例に説明する。図１は、本発明の実施形態による噴射洗浄装置の概略正面図であり、図２は、その概略側面図である。
【００２１】
図１に示すように、噴射洗浄装置１は、内容物を充填密封したパウチＰを供給するパウチ供給装置２と洗浄後のパウチＰを搬出するパウチ搬出装置４との間に配置され、パウチ供給装置２から供給されたパウチＰを図１の左方即ち上流側から図１の右方即ち下流側に移動させながら洗浄するように構成されている。パウチＰは、上方から見て、移動方向及びそれに対して直交する方向にそれぞれ長さと幅とを有する平たい矩形形状を有している。
【００２２】
噴射洗浄装置１は、パウチ搬出装置４に連結されたフレーム６を有し、フレーム６内には、パウチ供給装置２によってフレーム６の上流端部８に供給されたパウチＰをフレーム６の下流端部１０に移動させるコンベヤ１２が設けられている。フレーム６の下流端部１０には、コンベヤ１２によって移動したパウチＰをパウチ搬出装置４に供給するためのシューター１４が取付けられている。
【００２３】
コンベヤ１２は、多数の孔を有するエンドレスベルト１６と、フレーム６の上流端部８に配置された上流側プーリ１８と、フレーム６の下流端部１０に配置された下流側プーリ２０と、を有する。エンドレスベルト１６は、上流側プーリ１８及び下流側プーリ２０に巻回され、下流側プーリ２０には、変速機構、モーター等からなる、エンドレスベルト１６を駆動する駆動装置２２が連結されている。エンドレスベルト１６は、上流側プーリ１８から下流側プーリ２０までほぼ水平方向に延びる水平部２４と、下流側プーリ２０から上流側プーリ１８に向って水平部２４の下方を通って戻る戻り部２６とを有している。かくして、エンドレスベルト１６の水平部２４の上面は、多数の孔を有し且つほぼ水平方向に延びる、上流側から下流側に移動可能な支持面２８を構成し、この支持面２８には、パウチＰが面接触し且つ支持される。本実施形態のエンドレスベルト１６は、ポリエステル製の線材を平織りにしたメッシュベルトであることが好ましい。その他のプラスチック製又は金属製のベルトを用いることもできる。メッシュベルトは、好ましくは、線径０．６〜１．２ｍｍ、１インチ（２５．４ｍｍ）当たりの開口数６〜１３メッシュ、開口率４６〜７０％であることが好ましい。
【００２４】
エンドレスベルト１６の水平部２４の上方には、支持面２８に支持されたパウチＰの上面に上方から洗浄液を噴射するための上ノズル３０が設けられ、洗浄液の飛散を防止するためのカバー３２が、上ノズル３０及びエンドレスベルト１６の水平部２４を覆うようにフレーム６から延びている。また、支持面２８の下方、即ち、エンドレスベルト１６の水平部２４と戻り部２６との間の空間には、エンドレスベルト１６の孔を通してパウチＰの下面に下方から洗浄液を噴射するための２つの下ノズル３４、３６が設けられている。また、エンドレスベルト１６の戻り部２６の下方には、噴射された洗浄液又はエンドレスベルト等から垂れる洗浄液を受けるためのドレンパン３８が設けられ、ドレンパン３８には、その中の洗浄液を排出するためのドレン装置４０が設けられている。
【００２５】
２つの下ノズル３４、３６は、図１に示すように、エンドレスベルト１６の支持面２８の移動方向、即ち、パウチＰの長さ方向に間隔をおいて配置されている。以下、上流側の下ノズル３４を上流側下ノズル３４と称し、下流側の下ノズル３６を下流側下ノズル３６と称する。また、図２に示すように、上流側下ノズル３４と下流側下ノズル３６とは、支持面２８の移動方向と直交する方向、即ち、パウチＰの幅方向に間隔をおいて配置されている。詳細には、パウチＰの下面の幅方向手前側（図２の左方の側）に洗浄液を噴射するために、上流側下ノズル３４がエンドレスベルト１６の幅方向中心に対して図２の左方に配置され、パウチの下面の幅方向奥側（図２の右方の側）に洗浄液を噴射するために、下流側下ノズル３６がエンドレスベルト１６の幅方向中心に対して図２の右方に配置されている。また、上ノズル３０は、支持面２８の移動方向において、上流側下ノズル３４と下流側下ノズル３６の間に配置され、エンドレスベルト１６の幅方向において、その中心に配置されている。
【００２６】
上ノズル３０及び２つの下ノズル３４、３６は、同じ種類のスプレーノズルであることが好ましい。好ましくは、スプレーノズルの噴霧パターンは、フラットタイプであり、スプレーノズルのオリフィス径は、２〜４ｍｍ、スプレー角度は、７０〜９５度である。上ノズル３０及び下ノズル３４、３６は、噴霧パターンがエンドレスベルト１６の幅方向に広がるように配置されている。本実施形態において、上ノズル３０は、その噴霧パターンがパウチＰの幅全体を覆うように配置されているのに対し、下ノズル３４、３６は、その噴霧パターンがパウチＰの下面の幅方向の一部分だけを覆うように配置されている。即ち、上流側下ノズル３４は、その噴霧パターンがパウチＰの下面の幅方向手前側だけを覆い、パウチＰの下面の幅方向奥側に及ばないように配置されており、下流側下ノズル３６は、その噴霧パターンがパウチＰの下面の幅方向奥側だけを覆い、パウチＰの下面の幅方向手前側に及ばないように配置されている。また、上流側下ノズル３４の噴霧パターンと下流側下ノズル３６の噴霧パターンとは、幅方向に重複部分を有しており、これら２つの噴霧パターンを組合せたとき、パウチＰの幅方向全体を覆うように構成されている。
【００２７】
上ノズル３０及び下ノズル３４、３６は、それぞれ、フレーム６又はカバー３２の側面を貫いて延びる供給管４２を介して、洗浄液供給源４４に連結されている。各供給管４２には、洗浄液の供給圧力を制御するための圧力制御装置４６及び洗浄液の供給と停止とを切替えるバルブ４８が設けられている。圧力制御装置４６は、各ノズル３０、３４、３６の噴霧圧力及び噴霧流量等を制御するのに使用される。特に、下ノズル３４、３６用の圧力制御装置は、下ノズル３４、３６から噴霧された洗浄液の圧力によって、パウチＰの下面の一部分だけを持ち上げ、しかも、パウチＰ全体が支持面２８上を移動しないように制御される。
【００２８】
次に、本発明の実施形態による噴射洗浄装置の動作を説明する。
【００２９】
準備段階として、エンドレスベルト１６を駆動装置２２によって一定速度で駆動しておく。更に、バルブ４８を開いて、洗浄液供給源４４から洗浄液を上ノズル３０及び下ノズル３４、３６に供給し、これらのノズル３０、３４、３６から洗浄液を噴霧させておく。洗浄液は、好ましくは、３０〜７０℃の温水である。
【００３０】
次いで、パウチＰをパウチ供給装置２によって噴射洗浄装置１に供給する。供給されたパウチＰはエンドレスベルト１６の上流側プーリ１８の近傍の支持面２８に面接触し且つ支持される。
【００３１】
パウチＰが上流側下ノズル３４の上方を通るとき、洗浄液が上流側下ノズル３４からエンドレスベルト１６の孔を通してパウチＰの下面に噴霧される。上流側下ノズル３４から噴霧された洗浄液は、パウチＰの下面の幅方向手前側に当たり、それにより、図２のＰ１で示すように、パウチＰの下面の幅方向奥側（図２の右方の側）を支持面２８に接触させたまま、パウチＰの幅方向手前側（図２の左方の側）を持ち上げ、パウチＰの姿勢が斜めになる。持ち上げられたパウチＰの下面の幅方向手前側の部分は、上流側下ノズル３４からの洗浄液によって噴霧洗浄される。
【００３２】
また、パウチＰが上流側下ノズル３４の上方を通過することにより、パウチＰの下面の幅方向手前側部分を、その移動方向両側に延びる範囲にわたって噴霧洗浄する。パウチＰが上流側下ノズル３４を通り過ぎると、パウチＰの幅方向手前側は、再び、支持面２８に面接触し且つ支持される。
【００３３】
次いで、パウチＰが上ノズル３０の下方を通るとき、洗浄液が上ノズル３０からパウチＰの上面に噴霧される。上ノズル３０から噴霧された洗浄液は、パウチＰの上面の幅方向全体に当たり、パウチＰの上面を噴霧洗浄する。また、パウチＰが上ノズル３０の下方を通過することにより、パウチＰの上面を、その移動方向両側に延びる範囲にわたって噴霧洗浄し、その結果、パウチＰの上面全体が洗浄むらなしに噴霧洗浄される。
【００３４】
次いで、パウチＰが下流側下ノズル３６の上方を通るとき、洗浄液が下流側下ノズル３６からエンドレスベルト１６の孔を通してパウチＰの下面に噴霧される。下流側下ノズル３６から噴霧された洗浄液は、パウチＰの下面の幅方向奥側（図２の右方の側）に当たり、それにより、図２のＰ２で示すように、パウチＰの下面の幅方向手前側（図２の左方の側）を支持面２８に接触させたまま、パウチＰの幅方向奥側を持ち上げ、パウチＰの姿勢が斜めになる。持ち上げられたパウチＰの下面の幅方向奥側の部分は、下流側下ノズル３６からの洗浄液によって噴霧洗浄される。
【００３５】
また、パウチＰが下流側下ノズル３６の上方を通過することにより、パウチＰの下面の幅方向奥側部分を、その移動方向両側に延びる範囲にわたって噴霧洗浄する。パウチＰが下流側下ノズル３６を通り過ぎると、パウチＰの幅方向奥側は、再び、支持面２８に面接触し且つ支持される。上流側下ノズル３４の洗浄と下流側下ノズル３６の洗浄との組合わせにより、パウチＰの下面全体が洗浄される。
【００３６】
このように構成された噴射洗浄装置１によれば、下ノズル３４及び３６それぞれからの噴霧の際、パウチＰの下面のうち下方からの噴霧によって持ち上げられていない部分がエンドレスベルト１６の支持面２８上に常に面接触しているので、下方からの噴霧によってパウチＰが支持面２８上で移動することを防止しつつ、パウチＰの下面を洗浄することができる。また、パウチの下面のうち噴霧によって持ち上げられた部分を噴霧洗浄するので、パウチの下面がエンドレスベルト即ちメッシュベルト１６に面接触したまま洗浄されるときに生じるようなパウチＰの下面の洗浄むらを防止することができる。また、ポリエステル製のメッシュベルトを採用しているので、金属製のメッシュベルトと異なり、パウチＰの損傷を防止することができる。
【００３７】
以上、本発明による噴射洗浄装置の実施形態を説明したけれども、本発明は、以上の実施形態に限定されることなく、特許請求の範囲に記載された発明の範囲内で種々の変更が可能であり、それらも本発明の範囲内に包含されることはいうまでもない。
【００３８】
上述の実施形態では、レトルト食品用パウチＰを洗浄する場合を例に説明したが、それに限らず、成形容器のような、エンドレスベルト１６に面接触するような製品を洗浄する場合に上述の実施形態を使用しても良い。
【００３９】
また、上述の実施形態では、洗浄液をスプレーノズルによって噴霧したが、洗浄液を他の形態のノズルによって噴射しても良い。
【００４０】
また、上述の実施形態では、スプレーノズルは、フラットスプレータイプのものを採用し、１つの上ノズル３０と２つの下ノズル３４、３６とから構成されていた。更に、洗浄液を温水とし、コンベヤ速度を一定とした。しかしながら、上ノズル３０及び下ノズル３４、３６の数、種類、配置等、洗浄液の種類及びコンベヤの速度は、洗浄すべき製品の大きさ、形状又は汚れの種類、程度等に応じて任意に選択することが可能である。
【００４１】
また、上述の実施形態では、上ノズル及び下ノズルは、洗浄液を連続的に噴霧させたが、例えば、パウチが上ノズルの下方又は下ノズルの上方にきたときだけ洗浄液を噴霧するように、間欠的に噴霧させても良い。
【００４２】
また、上述の実施形態では、エンドレスベルト即ち支持面を連続的に移動させたが、例えば、上ノズルまたは下ノズルで噴霧する際に停止させるように、間欠的に移動させても良い。
【００４３】
また、上述の実施形態では、エンドレスベルト１６を駆動してパウチＰを移動させたが、パウチＰを移動させなくても良い。その場合、パウチＰの下方に下ノズルを１つ配置しても良いし、それを２つ以上配置しても良い。下ノズルを１つ配置する場合には、下ノズルを移動させることによって、例えば、パウチＰの下面の前側を洗浄した後、パウチＰの下面の後側を洗浄すれば良い。下ノズルを移動させる代わりに、下ノズルの噴射角度又は噴射方向を変えて、パウチの下面の前側及び後側を順番に洗浄しても良い。下ノズルを移動等させる際、噴霧によってパウチＰが支持面２８上を移動しなければ、洗浄液を下ノズルから連続的に噴霧しても良いし、間欠的に噴霧しても良い。また、下ノズルを２つ以上配置する場合には、噴霧によってパウチＰが支持面２８上を移動しないように、下ノズルの噴霧を一つずつ順番に行えば良い。この場合、下ノズルの移動等を組合わせても良い。
【００４４】
上述の実施形態では、２つの下ノズル３４、３６を採用したが、下ノズルを１つだけ使用し、パウチＰをエンドレスベルト１６により移動させても良い。特に、パウチＰの移動方向長さが長い場合、下ノズルからの噴霧パターンをパウチＰの幅全体を覆うように構成すれば、下ノズルからの洗浄液が当たって持ち上げられるパウチＰの下面の部分が、エンドレスベルト１６の移動と共に少しずつずれ、最終的に、パウチＰの下面を移動方向長さ全体にわたって洗浄することができる。
【００４５】
上述の実施形態では、パウチを上流側から下流側に直線的に移動させたが、カーブコンベヤ等を用いて曲線的に移動させても良い。
【００４６】
【実施例】
長さ１７６ｍｍ、幅１２６ｍｍ、重量２１０ｇのほぼ矩形で平たい形状のパウチを、本実施形態による噴射洗浄装置で洗浄した。エンドレスベルト１６は、ポリエステル線材の平織りメッシュベルトであり、線径０．８ｍｍ、１インチ当たりのメッシュ数９メッシュ、開口率５１％であった。上ノズル３０及び下ノズル３４、３６は、フラットタイプのスプレーノズルであり、オリフィス径２．４ｍｍ、スプレー角度９０度であった。水圧を０．２３ＭＰａにして、３３〜３５℃の温水を噴霧した。コンベヤ１２によるパウチＰの移動速度は、３５ｍ／ｍｉｎであった。パウチＰは、支持面２８上でずれることなしに洗浄され、パウチＰの下面全体を、洗浄むらを生じさせることなしに洗浄することができた。
【００４７】
【発明の効果】
以上説明したように、本発明の噴射洗浄方法及び装置により、多数の孔を有する支持面に面接触し且つ支持されている物品の、下方からの噴射による物品の移動及び物品の下面における洗浄むらを防止することができる。
【図面の簡単な説明】
【図１】本発明の実施形態による噴射洗浄装置の概略正面図である。
【図２】図１の噴射洗浄装置の概略右側面図である。
【符号の説明】
１　　噴射洗浄装置
１２　コンベヤ
１６　エンドレスベルト
２８　支持面
３４　上流側下ノズル
３６　下流側下ノズル
Ｐ　　パウチ
【図１】
2004089821.tif 000003
【図２】
2004089821.tif 000004